【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
各々が少なくとも第１のマルチホップデータ経路を有する、少なくとも第１のメッシュネットワークを備えたネイバーアウェアネットワーク（ＮＡＮ）内の通信の方法であって、
前記第１のメッシュネットワーク内の前記第１のマルチホップデータ経路を介して前記ＮＡＮの第１のデバイスにおいて第１のメッセージを受信することと、
前記第１のメッシュネットワークの第１のサービスプロバイダデバイスが第１のサービスを提供するかどうかと、
前記第１のサービスが提供される通信チャネルと、
前記通信チャネルに関するページングウィンドウの少なくとも１つの特性と
を決定するために、前記第１のメッセージを復号すること、
前記通信チャネルと前記ページングウィンドウの前記少なくとも１つの特性に基づいて前記プロバイダデバイスからの前記サービスの配信を確立することと、
前記第１のメッシュネットワークの第１の特性を決定するために、前記第１のメッセージを復号することと、
第２のメッシュネットワークの第２のサービスプロバイダデバイスが、前記第１のサービスを提供し、前記第２のメッシュネットワークの第２の特性を決定できるかどうかを決定するために、第２の受信されたメッセージを復号することと、
前記第１の特性と前記第２の特性とに基づいて、前記第１のサービスの配信のために、前記第１のサービスプロバイダデバイスまたは前記第２のサービスプロバイダデバイスのどちらかを選択することと、ここにおいて、前記第１の特性および前記第２の特性は、それぞれ前記第１のメッシュネットワークおよび前記第２のメッシュネットワークの年齢の表示を含み、前記年齢の前記表示は、各該当するメッシュネットワークのルートデバイスが前記第１のサービスを初めて提供したときから経過した時間に基づく、
を備える、方法。
【請求項２】
前記第１のデバイスにおいて、前記通信チャネルを受信することに基づいて、前記ページングウィンドウの前記少なくとも１つの特性に従って、前記第１のサービスプロバイダデバイスを介して前記第１のサービスを受信することと、
第２のメッセージをブロードキャストまたはマルチキャストすることと、前記第２のメッセージが前記第１のメッシュネットワークの１つまたは複数の特性を示す、
をさらに備える、請求項１に記載の方法。
【請求項３】
前記第１のメッセージの前記復号が、前記第１のメッシュネットワークの第１の特性を決定することをさらに備え、前記第１の特性は、
前記第１のメッシュネットワークのサイズ、ここにおいて、前記サイズが、前記第１のサービスプロバイダデバイスから前記第１のサービスを受信する、いくつかのデバイスを備える、
前記第１のメッシュネットワークの年齢、ここにおいて、前記第１のメッシュネットワークの前記年齢が、前記第１のサービスプロバイダデバイスが前記第１のサービスを初めて提供したときから経過した前記時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数を備える、請求項１に記載の方法。
【請求項４】
前記第１のメッセージは、前記第１のサービスプロバイダデバイスによって提供された少なくとも１つの他のサービスの表示を含むサービス広告メッセージを備える、請求項１に記載の方法。
【請求項５】
前記ページングウィンドウの前記少なくとも１つの特性に基づいて、
ページングオフセット、
前記第１の通信チャネルに関する発見ウィンドウ、
前記ページングウィンドウのロケーション、および
前記ページングウィンドウの継続期間
を決定することと、
前記ページングウィンドウの前記継続期間の間、第２の通信チャネル上で第２のメッセージを走査することと
をさらに備える、請求項１に記載の方法。
【請求項６】
前記第１のメッセージは、前記第１のサービスに関するサービス発見要求メッセージを受信することに応答して送られたサービス発見応答メッセージを備える、請求項１に記載の方法。
【請求項７】
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各該当するメッシュネットワークを利用する、いくつかのデバイスを含む、請求項１に記載の方法。
【請求項８】
少なくとも第１のマルチホップデータ経路を有する、少なくとも第１のメッシュネットワークを備えたネイバーアウェアネットワーク（ＮＡＮ）上でサービスプロバイダを利用するための装置であって、
前記第１のメッシュネットワーク内の前記第１のマルチホップデータ経路を利用するデバイスを介して第１のメッセージを受信するように構成された、前記ＮＡＮの受信機と、
前記第１のメッシュネットワークの第１のサービスプロバイダデバイスが第１のサービスを提供するかどうかと、
前記第１のサービスが提供される通信チャネルと、
前記通信チャネルに関するページングウィンドウの少なくとも１つの特性と
を決定するために、前記第１のメッセージを復号するように構成されたプロセッサと
を備え、前記プロセッサは、
前記通信チャネルと前記ページングウィンドウの前記少なくとも１つの特性に基づいて前記プロバイダデバイスからの前記サービスの配信を確立することと、
前記第１のメッシュネットワークの第１の特性を決定するために、前記第１のメッセージを復号することと、
第２のメッシュネットワークの第２のサービスプロバイダデバイスが、前記第１のサービスと前記第２のメッシュネットワークの第２の特性とを提供できるかどうかを決定するために、第２の受信されたメッセージを復号することと、
前記第１の特性と前記第２の特性とに基づいて、前記サービスの配信のために、前記第１のサービスプロバイダデバイスまたは前記第２のサービスプロバイダデバイスのどちらかを選択することと、ここにおいて、前記第１の特性および前記第２の特性は、それぞれ前記第１のメッシュネットワークおよび前記第２のメッシュネットワークの年齢の表示を含み、前記年齢の前記表示は、各該当するメッシュネットワークのルートデバイスが前記第１のサービスを初めて提供したときから経過した時間に基づく、
を行うようにさらに構成される、装置。
【請求項９】
前記プロセッサは、
前記通信チャネルを受信することに基づいて、前記ページングウィンドウの前記少なくとも１つの特性に従って、前記第１のサービスプロバイダデバイスからの前記第１のサービスの配信を確立することと、
第２のメッセージをブロードキャストまたはマルチキャストすることと、前記第２のメッセージが前記第１のメッシュネットワークの１つまたは複数の特性を示す、
を行うようにさらに構成される、請求項８に記載の装置。
【請求項１０】
前記プロセッサシステムは、前記第１のメッシュネットワークの第１の特性を決定するために、前記第１のメッセージを復号するようにさらに構成され、前記第１の特性は、
前記第１のメッシュネットワークのサイズ、ここにおいて、前記サイズが、前記第１のサービスプロバイダデバイスから前記第１のサービスを受信する、いくつかのデバイスを備える、
前記第１のメッシュネットワークの年齢、ここにおいて、前記第１のメッシュネットワークの前記年齢が、前記第１のプロバイダデバイスが前記第１のサービスを初めて提供したときから経過した前記時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数を備える、請求項８に記載の装置。
【請求項１１】
前記第１のメッセージは、前記第１のサービスプロバイダデバイスによって提供された少なくとも１つの他のサービスの表示を含むサービス広告メッセージを備える、請求項８に記載の装置。
【請求項１２】
前記プロセッサは、
前記ページングウィンドウの前記少なくとも１つの特性に基づいて、
ページングオフセット、
前記第１の通信チャネルに関する発見ウィンドウ、
前記ページングウィンドウのロケーション、および
前記ページングウィンドウの継続期間
を決定することと、
前記ページングウィンドウの前記継続期間の間、第２の通信チャネル上で第２のメッセージを走査することと
を行うようにさらに構成される、請求項８に記載の装置。
【請求項１３】
前記プロセッサは、前記サービスに関するサービス発見要求メッセージを送信すること、ここにおいて、前記受信機が、サービス発見応答メッセージを受信するようにさらに構成される、を行うようにさらに構成される、請求項８に記載の装置。
【請求項１４】
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各該当するメッシュネットワークを利用する、いくつかのデバイスを含む、請求項８に記載の装置。
【請求項１５】
少なくとも第１のマルチホップデータ経路を有する、少なくとも第１のメッシュネットワークを備えたネイバーアウェアネットワーク（ＮＡＮ）内の通信のための装置であって、
前記第１のメッシュネットワーク内の前記第１のマルチホップデータ経路を利用するデバイスを介して前記ＮＡＮの第１のメッセージを受信するための手段と、
前記第１のメッシュネットワークの第１のサービスプロバイダデバイスが第１のサービスを提供するかどうかと、前記第１のサービスが提供される通信チャネルと、前記通信チャネルに関するページングウィンドウの少なくとも１つの特性とを決定するために、前記第１のメッセージを復号するための手段と、
前記通信チャネルと前記ページングウィンドウの前記少なくとも１つの特性に基づいて前記プロバイダデバイスからの前記サービスの配信を確立するための手段と、
前記第１のメッシュネットワークの第１の特性を決定するために、前記第１のメッセージを復号するための手段と、
第２のメッシュネットワークの第２のサービスプロバイダデバイスが、前記第１のサービスと前記第２のメッシュネットワークの第２の特性とを提供できるかどうかを決定するために、第２の受信されたメッセージを復号するための手段と、
前記第１の特性と前記第２の特性とに基づいて、前記サービスの配信のために、前記第１の特性と前記第２の特性とに基づいて、前記サービスの配信のために、前記第１のサービスプロバイダデバイスまたは前記第２のサービスプロバイダデバイスのどちらかを選択するための手段と、ここにおいて、前記第１の特性および前記第２の特性は、それぞれ前記第１のメッシュネットワークおよび前記第２のメッシュネットワークの年齢の表示を含み、前記年齢の前記表示は、各該当するメッシュネットワークのルートデバイスが前記第１のサービスを初めて提供したときから経過した時間に基づく、
を備える、装置。
【請求項１６】
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各該当するメッシュネットワークを利用する、いくつかのデバイスを含む、請求項１５に記載の装置。
【請求項１７】
実行されたとき、プロセッサに、少なくとも第１のマルチホップデータ経路を有する、少なくとも第１のメッシュネットワークを備えたネイバーアウェアネットワーク（ＮＡＮ）内の通信の方法を行わせる命令を備えた非一時的コンピュータ可読記憶媒体であって、前記方法が、
前記第１のメッシュネットワーク内の前記第１のマルチホップデータ経路を利用するデバイスを介して前記ＮＡＮの第１のデバイスにおいて第１のメッセージを受信することと、
前記第１のメッシュネットワークの第１のサービスプロバイダデバイスが第１のサービスを提供するかどうかと、
前記第１のサービスが提供される通信チャネルと、
前記通信チャネルに関するページングウィンドウの少なくとも１つの特性と
を決定するために、前記第１のメッセージを復号することと、
前記通信チャネルと前記ページングウィンドウの前記少なくとも１つの特性に基づいて前記プロバイダデバイスからの前記サービスの配信を確立することと、
前記第１のメッシュネットワークの第１の特性を決定するために、前記第１のメッセージを復号することと、
第２のメッシュネットワークの第２のサービスプロバイダデバイスが、前記第１のサービスを提供し、前記第２のメッシュネットワークの第２の特性を決定できるかどうかを決定するために、第２の受信されたメッセージを復号することと、
前記第１の特性と前記第２の特性とに基づいて、前記第１のサービスの配信のために、前記第１のサービスプロバイダデバイスまたは前記第２のサービスプロバイダデバイスのどちらかを選択することと、ここにおいて、前記第１の特性および前記第２の特性は、それぞれ前記第１のメッシュネットワークおよび前記第２のメッシュネットワークの年齢の表示を含み、前記年齢の前記表示は、各該当するメッシュネットワークのルートデバイスが前記第１のサービスを初めて提供したときから経過した時間に基づく、
を備える、コンピュータ可読記憶媒体。
【請求項１８】
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各該当するメッシュネットワークを利用する、いくつかのデバイスを含む、請求項１７に記載のコンピュータ可読記憶媒体。
【手続補正２】
【補正対象書類名】明細書
【補正対象項目名】０１４０
【補正方法】変更
【補正の内容】
【０１４０】
[00153]  開示した実施形態の上記の説明は、当業者が開示した実施形態を製作または使用することを可能にするために提供されている。これらの実施形態に対する様々な修正は、当業者には容易に明らかであり、本明細書で定義されている原理は、本開示の範囲から逸脱することなく、他の実施形態に適用され得る。従って、本開示は、本明細書に示した実施形態に限定されることを意図されておらず、以下の特許請求の範囲によって定義される原理および新規な特徴と一致する可能な最も広い範囲を与えられるべきである。
以下に本願の出願当初の特許請求の範囲に記載された発明を付記する。
［Ｃ１］
各々が少なくとも第１のマルチホップデータ経路を有する、少なくとも第１のメッシュネットワークを備えたネイバーアウェアネットワーク（ＮＡＮ）内の通信の方法であって、
前記ＮＡＮの第１のデバイスにおいて第１のメッセージを受信することと、
前記第１のメッシュネットワークの第１のサービスプロバイダデバイスが第１のサービスを提供するかどうかと、
前記第１のサービスが提供される通信チャネルと、
前記通信チャネルに関するページングウィンドウの少なくとも１つの特性と
を決定するために、前記第１のメッセージを復号すること
を備える、方法。
［Ｃ２］
前記第１のデバイスにおいて、前記通信チャネルを受信することに基づいて、前記ページングウィンドウの前記少なくとも１つの特性に従って、前記第１のサービスプロバイダデバイスを介して前記第１のサービスを受信することと、
第２のメッセージをブロードキャストまたはマルチキャストすることと、前記第２のメッセージが前記第１のメッシュネットワークの１つまたは複数の特性を示す
をさらに備える、Ｃ１に記載の方法。
［Ｃ３］
前記第１のメッセージの前記復号が、前記第１のメッシュネットワークの第１の特性を決定することをさらに備え、前記第１の特性は、
前記第１のメッシュネットワークのサイズ、ここにおいて、前記サイズが、前記第１のサービスプロバイダデバイスから前記第１のサービスを受信する、いくつかのデバイスを備える、
前記第１のメッシュネットワークの年齢、ここにおいて、前記第１のメッシュネットワークの前記年齢が、前記第１のサービスプロバイダデバイスが前記第１のサービスを初めて提供したときから経過した時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数を備える、Ｃ１に記載の方法。
［Ｃ４］
前記第１のメッセージは、前記第１のサービスプロバイダデバイスによって提供された少なくとも１つの他のサービスの表示を含むサービス広告メッセージを備える、Ｃ１に記載の方法。
［Ｃ５］
前記第１のメッセージは、前記第１のメッシュネットワーク内の前記第１のマルチホップデータ経路を介して受信される、Ｃ１に記載の方法。
［Ｃ６］
前記ページングウィンドウの前記少なくとも１つの特性に基づいて、
ページングオフセット、
前記第１の通信チャネルに関する発見ウィンドウ、
前記ページングウィンドウのロケーション、および
前記ページングウィンドウの継続期間
を決定することと、
前記ページングウィンドウの前記継続期間の間、第２の通信チャネル上で第２のメッセージを走査することと
をさらに備える、Ｃ１に記載の方法。
［Ｃ７］
前記第１のメッセージは、前記第１のサービスに関するサービス発見要求メッセージを受信することに応答して送られたサービス発見応答メッセージを備える、Ｃ１に記載の方法。
［Ｃ８］
前記第１のメッシュネットワークの第１の特性を決定するために、前記第１のメッセージを復号することと、
第２のメッシュネットワークの第２のサービスプロバイダデバイスが、前記第１のサービスを提供し、前記第２のメッシュネットワークの第２の特性を決定できるかどうかを決定するために、第２の受信されたメッセージを復号することと、
前記第１の特性と前記第２の特性とに基づいて、前記第１のサービスの配信のために、前記第１のサービスプロバイダデバイスまたは前記第２のサービスプロバイダデバイスのどちらかを選択することと
をさらに備える、Ｃ１に記載の方法。
［Ｃ９］
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各それぞれのメッシュネットワークを利用する、いくつかのデバイスを含む、Ｃ８に記載の方法。
［Ｃ１０］
前記第１の特性または前記第２の特性が、前記第１のメッシュネットワークまたは前記第２のメッシュネットワークのそれぞれの年齢の表示を含み、前記年齢の前記表示は、各それぞれのメッシュネットワークのルートデバイスが前記第１のサービスを初めて提供してから経過した時間に基づく、Ｃ８に記載の方法。
［Ｃ１１］
少なくとも第１のマルチホップデータ経路を有する、少なくとも第１のメッシュネットワークを備えたネイバーアウェアネットワーク（ＮＡＮ）上でサービスプロバイダを利用するための装置であって、
第１のメッセージを受信するように構成された、前記ＮＡＮの受信機と、
前記第１のメッシュネットワークの第１のサービスプロバイダデバイスが第１のサービスを提供するかどうかと、
前記第１のサービスが提供される通信チャネルと、
前記通信チャネルに関するページングウィンドウの少なくとも１つの特性と
を決定するために、前記第１のメッセージを復号するように構成されたプロセッサとを備える、装置。
［Ｃ１２］
前記プロセッサは、
前記通信チャネルを受信することに基づいて、前記ページングウィンドウの前記少なくとも１つの特性に従って、前記第１のサービスプロバイダデバイスからの前記第１のサービスの配信を確立することと、
第２のメッセージをブロードキャストまたはマルチキャストすることと、前記第２のメッセージが前記第１のメッシュネットワークの１つまたは複数の特性を示すを行うようにさらに構成される、Ｃ１１に記載の装置。
［Ｃ１３］
前記プロセッサシステムは、前記第１のメッシュネットワークの第１の特性を決定するために、前記第１のメッセージを復号するようにさらに構成され、前記第１の特性は、
前記第１のメッシュネットワークのサイズ、ここにおいて、前記サイズが、前記第１のサービスプロバイダデバイスから前記第１のサービスを受信する、いくつかのデバイスを備える、
前記第１のメッシュネットワークの年齢、ここにおいて、前記第１のメッシュネットワークの前記年齢が、前記第１のサービスプロバイダデバイスが前記第１のサービスを初めて提供したときから経過した時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数を備える、Ｃ１１に記載の装置。
［Ｃ１４］
前記第１のメッセージは、前記第１のサービスプロバイダデバイスによって提供された少なくとも１つの他のサービスの表示を含むサービス広告メッセージを備える、Ｃ１１に記載の装置。
［Ｃ１５］
前記受信された第１のメッセージは、前記第１のメッシュネットワーク内の前記第１のマルチホップデータ経路を利用するデバイスを介して受信される、Ｃ１１に記載の装置。
［Ｃ１６］
前記プロセッサは、
前記ページングウィンドウの前記少なくとも１つの特性に基づいて、
ページングオフセット、
前記第１の通信チャネルに関する発見ウィンドウ、
前記ページングウィンドウのロケーション、および前記ページングウィンドウの継続期間
を決定することと、
前記ページングウィンドウの前記継続期間の間、第２の通信チャネル上で第２のメッセージを走査することと
を行うようにさらに構成される、Ｃ１１に記載の装置。
［Ｃ１７］
前記プロセッサは、前記サービスに関するサービス発見要求メッセージを送信すること、ここにおいて、前記受信機が、サービス発見応答メッセージを受信するようにさらに構成される、を行うようにさらに構成される、Ｃ１１に記載の装置。
［Ｃ１８］
前記プロセッサは、
前記第１のメッシュネットワークの第１の特性を決定するために、前記第１のメッセージを復号することと、
第２のメッシュネットワークの第２のサービスプロバイダデバイスが前記第１のサービスと、前記第２のメッシュネットワークの第２の特性とを提供できるかどうかを決定するために、第２の受信されたメッセージを復号することと、
前記第１の特性と前記第２の特性とに基づいて、前記サービスの配信のために、前記第１のサービスプロバイダデバイスまたは前記第２のサービスプロバイダデバイスのどちらかを選択することと
を行うようにさらに構成される、Ｃ１１に記載の装置。
［Ｃ１９］
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各該当するメッシュネットワークを利用する、いくつかのデバイスを含む、Ｃ１８に記載の装置。
［Ｃ２０］
前記第１の特性または前記第２の特性が、前記第１のメッシュネットワークまたは前記第２のメッシュネットワークのそれぞれの年齢の表示を含み、前記年齢の前記表示は、各該当するメッシュネットワークのルートデバイスが前記第１のサービスを初めて提供してから経過した時間に基づく、Ｃ１８に記載の装置。
［Ｃ２１］
少なくとも第１のマルチホップデータ経路を有する、少なくとも第１のメッシュネットワークを備えたネイバーアウェアネットワーク（ＮＡＮ）内で通信するための装置であって、
前記ＮＡＮの第１のメッセージを受信するための手段と、
前記第１のメッシュネットワークの第１のサービスプロバイダデバイスが第１のサービスを提供するかどうかと、前記第１のサービスが提供される通信チャネルと、前記通信チャネルに関するページングウィンドウの少なくとも１つの特性とを決定するために、前記第１のメッセージを復号するための手段と
を備え得る、装置。
［Ｃ２２］
前記第１のメッセージは、前記第１のメッシュネットワーク内の前記第１のマルチホップデータ経路を利用するデバイスを介して受信される、Ｃ２１に記載の装置。
［Ｃ２３］
前記第１のメッシュネットワークの第１の特性を決定するために、前記第１のメッセージを復号するための手段と、
第２のメッシュネットワークの第２のサービスプロバイダデバイスが前記第１のサービスと、前記第２のメッシュネットワークの第２の特性とを提供できるかどうかを決定するために、第２の受信されたメッセージを復号するための手段と、
前記第１の特性と前記第２の特性とに基づいて、前記サービスの配信のために、前記第１のサービスプロバイダデバイスまたは前記第２のサービスプロバイダデバイスのどちらかを選択するための手段と
をさらに備える、Ｃ２１に記載の装置。
［Ｃ２４］
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各該当するメッシュネットワークを利用する、いくつかのデバイスを含む、Ｃ２３に記載の装置。
［Ｃ２５］
前記第１の特性または前記第２の特性が、前記第１のメッシュネットワークまたは前記第２のメッシュネットワークのそれぞれの年齢の表示を含み、前記年齢の前記表示は、各該当するメッシュネットワークのルートデバイスが前記第１のサービスを初めて提供してから経過した時間に基づく、Ｃ２３に記載の装置。
［Ｃ２６］
実行されたとき、プロセッサに、少なくとも第１のマルチホップデータ経路を有する、少なくとも第１のメッシュネットワークを備えたネイバーアウェアネットワーク（ＮＡＮ）内の通信の方法を行わせる命令を備えた非一時的コンピュータ可読記憶媒体であって、前記方法が、
前記ＮＡＮの第１のデバイスにおいて第１のメッセージを受信することと、
前記第１のメッシュネットワークの第１のサービスプロバイダデバイスが第１のサービスを提供するかどうかと、
前記第１のサービスが提供される通信チャネルと、
前記通信チャネルに関するページングウィンドウの少なくとも１つの特性とを決定するために、前記第１のメッセージを復号することと
を備える、非一時的コンピュータ可読記憶媒体。
［Ｃ２７］
前記第１のメッセージは、前記第１のメッシュネットワーク内の前記第１のマルチホップデータ経路を介して受信される、Ｃ２６に記載のコンピュータ可読記憶媒体。
［Ｃ２８］
前記方法は、
前記第１のメッシュネットワークの第１の特性を決定するために、前記第１のメッセージを復号することと、
第２のメッシュネットワークの第２のサービスプロバイダデバイスが、前記第１のサービスを提供し、前記第２のメッシュネットワークの第２の特性を決定できるかどうかを決定するために、第２の受信されたメッセージを復号することと、
前記第１の特性と前記第２の特性とに基づいて、前記第１のサービスの配信のために、前記第１のサービスプロバイダデバイスまたは前記第２のサービスプロバイダデバイスのどちらかを選択することと
をさらに備える、Ｃ２６に記載のコンピュータ可読記憶媒体。
［Ｃ２９］
前記第１の特性が前記第１のメッシュネットワークのサイズを含み、前記第２の特性が前記第２のメッシュネットワークのサイズを含み、ここにおいて、前記第１のメッシュネットワークおよび前記第２のメッシュネットワークの前記サイズが、前記第１のサービスを受信するために、各該当するメッシュネットワークを利用する、いくつかのデバイスを含む、Ｃ２８に記載のコンピュータ可読記憶媒体。
［Ｃ３０］
前記第１の特性または前記第２の特性が、前記第１のメッシュネットワークまたは前記第２のメッシュネットワークのそれぞれの年齢の表示を含み、前記年齢の前記表示は、各該当するメッシュネットワークのルートデバイスが前記第１のサービスを初めて提供してから経過した時間に基づく、Ｃ２８に記載のコンピュータ可読記憶媒体。
［Ｃ３１］
各々が複数のマルチホップデータ経路を有する、少なくとも第１のメッシュネットワークを備えたネイバーアウェアネットワーク（ＮＡＮ）上でサービスを提供する方法であって、
第１のデバイスによって、
第１のサービスを提供する前記第１のメッシュネットワークの第１のサービスプロバイダデバイスと、
前記第１のサービスが提供される第１の通信チャネルと、
前記第１の通信チャネルに関するページングウィンドウの少なくとも１つの特性とを示す第１のメッセージを生成することと、
前記第１のデバイスによって、前記第１のメッセージを送信することと
を備える、方法。
［Ｃ３２］
前記第１のサービスを提供するために使用される前記第１のメッシュネットワークと、
前記第１のメッシュネットワークのサイズ、ここにおいて、前記サイズが、前記第１のサービスプロバイダデバイスを介して前記第１のサービスを受信する、いくつかのデバイスを備える、
前記第１のメッシュネットワークの年齢、ここにおいて、前記年齢が、前記第１のサービスプロバイダデバイスが前記第１のサービスを初めて提供したときから経過した時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数
を示すために、前記第１のメッセージを生成することをさらに備える、Ｃ３１に記載の方法。
［Ｃ３３］
前記第１のサービスプロバイダデバイスのＩＰアドレス、媒体アクセス制御アドレス、およびホスト名のうちの１つまたは複数を前記応答内に含めることによって、前記第１のサービスプロバイダデバイスを示すための前記第１のメッセージを生成することをさらに備える、Ｃ３１に記載の方法。
［Ｃ３４］
前記第１のデバイスによって、前記第１の通信チャネルを介して前記第１のサービスに関する発見要求メッセージを受信すること、ここにおいて、前記ページングウィンドウの前記少なくとも１つの特性が、前記第１の通信チャネルに関するページングオフセットおよび発見ウィンドウを備える、をさらに備える、Ｃ３１に記載の方法。
［Ｃ３５］
前記第１のメッセージをブロードキャストまたはマルチキャストすることをさらに備える、Ｃ３１に記載の方法。
［Ｃ３６］
前記第１のメッセージを周期的にブロードキャストまたはマルチキャストすることをさらに備える、Ｃ３５に記載の方法。
［Ｃ３７］
各々が複数のマルチホップデータ経路を有する、少なくとも第１のメッシュネットワークを備えたネイバーアウェアネットワーク（ＮＡＮ）内の通信のための装置であって、
第１のサービスを提供できる前記第１のメッシュネットワークの第１のサービスプロバイダデバイスと、
前記第１のサービスが提供される第１の通信チャネルと、
前記第１の通信チャネルに関するページングウィンドウの少なくとも１つの特性と
を示す第１のメッセージを生成することと、
前記第１のメッセージを送信することと
を行うように構成されたプロセッサを備える、装置。
［Ｃ３８］
前記プロセッサが、
前記第１のサービスを提供するために使用される前記第１のメッシュネットワークと、
前記メッシュネットワークのサイズ、ここにおいて、前記サイズが、前記プロバイダデバイスから前記サービスを受信する、いくつかのデバイスを備える、
前記第１のメッシュネットワークの年齢、ここにおいて、前記年齢が、前記第１のサービスプロバイダデバイスが前記第１のサービスを初めて提供したときから経過した時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数と
を示すために、前記メッセージを生成するようにさらに構成、Ｃ３７に記載の装置。
［Ｃ３９］
前記プロセッサは、前記プロバイダデバイスのＩＰアドレス、媒体アクセス制御アドレス、およびホスト名のうちの１つまたは複数を前記応答内に含めることによって、前記第１のサービスプロバイダデバイスを示すための前記第１のメッセージを生成するようにさらに構成される、Ｃ３７に記載の装置。
［Ｃ４０］
前記プロセッサは、前記第１の通信チャネルを介して前記第１のサービスに関する発見要求メッセージを受信すること、ここにおいて、前記ページングウィンドウの前記少なくとも１つの特性が、前記第１の通信チャネルに関するページングオフセットおよび発見ウィンドウを備える、を行うようにさらに構成される、Ｃ３７に記載の装置。
［Ｃ４１］
前記プロセッサが、前記第１のメッセージをブロードキャストまたはマルチキャストするようにさらに構成される、Ｃ３７に記載の装置。
［Ｃ４２］
前記プロセッサが、前記第１のメッセージを周期的にブロードキャストまたはマルチキャストするようにさらに構成される、Ｃ４１に記載の装置。
［Ｃ４３］
各々が複数のマルチホップデータ経路を有する、少なくとも第１のメッシュネットワークを備えたネイバーアウェアネットワーク（ＮＡＮ）内の通信のための装置であって、
第１のサービスを提供できる前記第１のメッシュネットワークの第１のサービスプロバイダデバイスと、
前記第１のサービスが提供される第１の通信チャネルと、
前記第１の通信チャネルに関するページングウィンドウの少なくとも１つの特性と
を示す第１のメッセージを生成するための手段と、
前記第１のメッセージを送信するための手段と
を備える、装置。
［Ｃ４４］
前記第１のサービスを提供するために使用される前記第１のメッシュネットワークと、
前記メッシュネットワークのサイズ、ここにおいて、前記サイズが、前記プロバイダデバイスから前記サービスを受信する、いくつかのデバイスを備える、
前記第１のメッシュネットワークの年齢、ここにおいて、前記年齢が、前記第１のサービスプロバイダデバイスが前記第１のサービスを初めて提供したときから経過した時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数と
を示すために、前記第１のメッセージを生成するための手段をさらに備える、Ｃ４３に記載の装置。
［Ｃ４５］
前記第１のメッセージをブロードキャストまたはマルチキャストするための手段をさらに備える、Ｃ４３に記載の装置。
［Ｃ４６］
実行されたとき、プロセッサに、各々が複数のマルチホップデータ経路を有する、少なくとも第１のメッシュネットワークを備えたネイバーアウェアネットワーク（ＮＡＮ）内の通信の方法を行わせる命令を備えた非一時的コンピュータ可読記憶媒体であって、前記方法が、
第１のデバイスによって、
第１のサービスを提供する前記第１のメッシュネットワークの第１のサービスプロバイダデバイスと、
前記第１のサービスが提供される第１の通信チャネルと、
前記第１の通信チャネルに関するページングウィンドウの少なくとも１つの特性と
を示す第１のメッセージを生成することと、
前記第１のデバイスによって、前記第１のメッセージを送信することと
を備える、非一時的コンピュータ可読記憶媒体。
［Ｃ４７］
前記第１のサービスを提供するために使用される前記第１のメッシュネットワークと、
前記第１のメッシュネットワークのサイズ、ここにおいて、前記サイズが、前記第１のサービスプロバイダデバイスを介して前記第１のサービスを受信する、いくつかのデバイスを備える、
前記第１のメッシュネットワークの年齢、ここにおいて、前記年齢が、前記第１のサービスプロバイダデバイスが前記第１のサービスを初めて提供したときから経過した時間を備える、
前記第１のメッシュネットワークの利用可能な容量、
前記第１のメッシュネットワークがインターネットプロトコルバージョン６を介した接続性をサポートするかどうか、および
前記第１のメッシュネットワークを使用するときに予想される性能
のうちの１つまたは複数と
を示すために、前記第１のメッセージを生成することをさらに備える、Ｃ４６に記載のコンピュータ可読記憶媒体。
［Ｃ４８］
前記方法が、前記第１のメッセージをブロードキャストまたはマルチキャストすることをさらに備える、Ｃ４６に記載のコンピュータ可読記憶媒体。